【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
原稿の一方の面を読み取る第１の読取手段と、
前記原稿の他方の面を読み取る第２の読取手段と、
第１の記憶部と、
第２の記憶部と、
画像処理手段と、
前記第１の読取手段により原稿の一方の面が読み取られることによって生成された第１の画像データを、第１の所定単位ごとに、前記第１の記憶部に転送する第１のデータ転送手段と、
前記第２の読取手段により原稿の他方の面が読み取られることによって生成された第２の画像データを、第２の所定単位ごとに、前記第２の記憶部に転送する第２のデータ転送手段と、
前記第１の記憶部に記憶された第１の画像データを前記第１の所定単位ごとに前記画像処理手段に転送する第１の処理と、前記第２の記憶部に記憶された第２の画像データを前記第２の所定単位ごとに前記画像処理手段に転送する第２の処理を実行する実行手段と、
前記第１の記憶部が前記第１の所定単位の前記第１の画像データを記憶している場合であって、前記第２の記憶部が前記第２の所定単位の前記第２の画像データを記憶していない場合には、前記実行手段は、前記第１の処理を実行し、
前記第１の記憶部が前記第１の所定単位の前記第１の画像データを記憶していない場合であって、前記第２の記憶部が前記第２の所定単位の前記第２の画像データを記憶している場合には、前記実行手段は、前記第２の処理を実行し、
前記第１の記憶部が前記第１の所定単位の前記第１の画像データを記憶している場合であって、前記第２の記憶部が前記第２の所定単位の前記第２の画像データを記憶している場合、前記実行手段は、前記第１の処理及び前記第２の処理のうち、前回実行された処理と異なる処理を実行し、
前記実行手段は、前記第２の所定単位の前記第２の画像データが前記第２の記憶部に記憶される前に前記第１の処理を繰り返し実行すること
を特徴とする画像処理装置。
【請求項２】
前記一方の面は原稿の表面であり、前記他方の面は原稿の裏面であること
を特徴とする請求項１に記載の画像処理装置。
【請求項３】
前記第１の読取手段による前記原稿の一方の面の読み取りと、前記第２の読取手段による前記原稿の他方の面の読み取りとが、略同時に実行されること
を特徴とする請求項２に記載の画像処理装置。
【請求項４】
前記第１の記憶部は第１のリングバッファであり、前記第２の記憶部は第２のリングバッファであること
を特徴とする請求項１から３のいずれか１項に記載の画像処理装置。
【請求項５】
第３のデータ転送手段は、前記第１の画像データと前記第２の画像データとのいずれかを前記画像処理手段に転送したことを示す表裏指示信号を前記画像処理手段に出力すること
を特徴とする請求項１から４のいずれか１項に記載の画像処理装置。
【請求項６】
第１の記憶部に記憶されたデータ量を計数する第１の計数手段と、第２の記憶部に記憶されたデータ量を計数する第２の計数手段とをさらに有すること
を特徴とする請求項５に記載の画像処理装置。
【請求項７】
前記第１のデータ転送手段は、前記第１の画像データを前記第１の所定単位ごとに前記第１の記憶部に転送すると、前記第１の計数手段をインクリメントし、
前記第２のデータ転送手段は、前記第２の画像データを、前記第２の所定単位ごとに、
前記第２の記憶部に転送すると、前記第２の計数手段をインクリメントすること
を特徴とする請求項６項に記載の画像処理装置。
【請求項８】
前記第３のデータ転送手段が前記第１の画像データを前記第３の所定単位ごとに前記画像処理手段に転送すると、前記第３のデータ転送手段は、前記第１の計数手段をデクリメントし、
前記第３のデータ転送手段が前記第２の画像データを前記第３の所定単位ごとに前記画像処理手段に転送すると、前記第３のデータ転送手段は、前記第２の計数手段をデクリメントすること
を特徴とする請求項７に記載の画像処理装置。
【請求項９】
第１の記憶部と第２の記憶部と画像処理手段を有する画像処理装置の制御方法であって、
原稿の一方の面を読み取る第１の読取工程と、
前記原稿の他方の面を読み取る第２の読取工程と、
前記第１の読取工程で原稿の一方の面が読とられることによって生成された第１の画像データを、第１の所定単位ごとに、第１の記憶部に転送する第１のデータ転送工程と、
前記第２の読取工程で前記原稿の他方の面が読み取られることによって生成された第２の画像データを、第２の所定単位ごとに、第２の記憶部に転送する第２のデータ転送工程と、
前記第１の記憶部に記憶された第１の画像データを前記第１の所定単位ごとに前記画像処理手段に転送する第１の処理と、前記第２の記憶部に記憶された第２の画像データを前記第２の所定単位ごとに前記画像処理手段に転送する第２の処理を実行する実行工程と、
前記第１の記憶部が前記第１の所定単位の前記第１の画像データを記憶している場合であって、前記第２の記憶部が前記第２の所定単位の前記第２の画像データを記憶していない場合には、前記実行工程は、前記第１の処理を実行し、
前記第１の記憶部が前記第１の所定単位の前記第１の画像データを記憶していない場合であって、前記第２の記憶部が前記第２の所定単位の前記第２の画像データを記憶している場合には、前記実行工程は、前記第２の処理を実行し、
前記第１の記憶部が前記第１の所定単位の前記第１の画像データを記憶している場合であって、前記第２の記憶部が前記第２の所定単位の前記第２の画像データを記憶している場合、前記実行工程は、前記第１の処理及び前記第２の処理のうち、前回実行された処理と異なる処理を実行し、
前記実行工程は、前記第２の所定単位の前記第２の画像データが前記第２の記憶部に記憶される前に前記第１の処理を繰り返し実行することを特徴とする画像処理装置の制御方法。
【請求項１０】
請求項９の画像処理装置の制御方法をコンピュータにより実行するためのプログラム。
【手続補正２】
【補正対象書類名】明細書
【補正対象項目名】０００７
【補正方法】変更
【補正の内容】
【０００７】
本発明は、原稿の一方の面を読み取る第１の読取手段と、前記原稿の他方の面を読み取る第２の読取手段と、第１の記憶部と、第２の記憶部と、画像処理手段と、前記第１の読取手段により原稿の一方の面が読み取られることによって生成された第１の画像データを、第１の所定単位ごとに、前記第１の記憶部に転送する第１のデータ転送手段と、前記第２の読取手段により原稿の他方の面が読み取られることによって生成された第２の画像データを、第２の所定単位ごとに、前記第２の記憶部に転送する第２のデータ転送手段と、前記第１の記憶部に記憶された第１の画像データを前記第１の所定単位ごとに前記画像処理手段に転送する第１の処理と、前記第２の記憶部に記憶された第２の画像データを前記第２の所定単位ごとに前記画像処理手段に転送する第２の処理を実行する実行手段と、前記第１の記憶部が前記第１の所定単位の前記第１の画像データを記憶している場合であって、前記第２の記憶部が前記第２の所定単位の前記第２の画像データを記憶していない場合には、前記実行手段は、前記第１の処理を実行し、前記第１の記憶部が前記第１の所定単位の前記第１の画像データを記憶していない場合であって、前記第２の記憶部が前記第２の所定単位の前記第２の画像データを記憶している場合には、前記実行手段は、前記第２の処理を実行し、前記第１の記憶部が前記第１の所定単位の前記第１の画像データを記憶している場合であって、前記第２の記憶部が前記第２の所定単位の前記第２の画像データを記憶している場合、前記実行手段は、前記第１の処理及び前記第２の処理のうち、前回実行された処理と異なる処理を実行し、前記実行手段は、前記第２の所定単位の前記第２の画像データが前記第２の記憶部に記憶される前に前記第１の処理を繰り返し実行することを特徴とする。